(57)【要約】【課題】ＩＤカード作成に用いられたデータには、漏洩や不正使用から保護する必要のあるデータが含まれているが、従来適切な保護手段が講じられていない。そのために、情報の漏洩の危険があるとともに、必要な情報が消失してしまうという問題がある。【解決手段】カードに印刷されている画像を光学読取により読み取り、読取により取得したデータを表示手段に表示して作成されたカードの良否を検査し、合格であれば、カード作成に使用されたデータを消去する。【選択図】        図１
2004334637.tif 000002
【特許請求の範囲】
【請求項１】
ＩＤカード作成用のデータを記憶した記憶手段、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段及び前記ＩＣのメモリを読み出す電子読取手段を有する読取部、
前記光学読取手段が読み取って取得したデータと前記電子読取手段が読み取って取得したデータとを照合する照合手段及び、
該照合手段の照合結果に基づいて、記憶手段に記憶されているデータを各カード単位で消去する制御手段を、有することを特徴とするＩＤカード発行装置。
【請求項２】
ＩＤカード作成用のデータを記憶した記憶手段、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段を有する読取部、
前記光学読取手段が読み取って取得したデータと前記記憶手段に記憶されているデータとを照合する照合手段及び、
該照合手段の照合結果に基づいて、記憶手段に記憶されているデータを各カード単位で消去する制御手段を、有することを特徴とするＩＤカード発行装置。
【請求項３】
前記制御手段は、データの消去モードと、データの消去に代えてＩＤカードの再発行を行う再発行モードとを実行可能であることを特徴とする請求項１に記載のＩＤカード発行装置。
【請求項４】
ＩＤカード作成用のデータを記憶した記憶手段、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段を有する読取部、
前記光学読取手段が読み取った画像を表示する表示部、
前記記憶手段に記憶されているデータの消去を指示する指示手段及び、
該指示手段からの指示に基づいて、各カード単位で前記記憶手段内のデータを消去する制御手段を、有することを特徴とするＩＤカード発行装置。
【請求項５】
前記指示手段は、ＩＤカードの仕上がりを評価する評価データを入力する評価入力手段を有することを特徴とする請求項４に記載のＩＤカード発行装置。
【請求項６】
撮影手段、ＩＤカード作成用のデータ及び前記撮影手段が取得した画像データを記憶した記憶手段を有する撮影装置、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段及び前記ＩＣのメモリを読み出す電子読取手段を有する読取部及び、
前記光学読取手段が読み取って取得したデータと前記電子読取手段が読み取って取得したデータとを照合する照合手段、
を有するカード発行装置並びに、
該照合手段の照合結果に基づいて、記憶手段に記憶されているデータを各カード単位で消去する制御手段を、有することを特徴とするＩＤカード発行システム。
【請求項７】
撮影手段、ＩＤカード作成用のデータ及び前記撮影手段が取得した画像データを記憶した記憶手段を有する撮影装置、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段を有する読取部及び、
前記光学読取手段が読み取って取得したデータと前記記憶手段に記憶されているデータとを照合する照合手段、
を有するカード発行装置並びに、
該照合手段の照合結果に基づいて、記憶手段に記憶されているデータを各カード単位で消去する制御手段を、有することを特徴とするＩＤカード発行システム。
【請求項８】
前記制御手段は、データの消去モードと、ＩＤカードの再発行を行う再発行モードとを実行可能であることを特徴とする請求項６又は７に記載のＩＤカード発行システム。
【請求項９】
撮影手段、ＩＤカード作成用のデータ及び前記撮影手段が取得した画像データを記憶した記憶手段を有する撮影装置、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段を有する読取部、
前記光学読取手段が読み取った画像を表示する表示部及び、
前記記憶手段に記憶されているデータの消去を指示する指示手段、
を有するカード発行装置並びに、
該指示手段からの指示に基づいて、各カード単位で前記記憶手段内のデータを消去する制御手段を、有することを特徴とするＩＤカード発行システム。
【請求項１０】
前記指示手段は、ＩＤカードの仕上がりを評価する評価データを入力する評価入力手段を有することを特徴とする請求項９に記載のＩＤカード発行システム。
【請求項１１】
カード素材に少なくとも画像データを書き込む書込ステップ、
ＩＤカードを光学的及び電子的に読み取る読取ステップ、
光学的に読み取ったデータと電子的に読み取ったデータとを照合するステップ及び、
照合の結果に基づいて、記憶手段に記憶されているデータの消去を各カード単位で行う消去ステップを有することを特徴とするＩＤカード発行プログラム。
【請求項１２】
カード素材に少なくとも画像データを書き込む書込ステップ、
カード素材を光学的及び電子的に読み取る読取ステップ、
光学的に読み取ったデータと記憶手段に記憶されているデータとを照合するステップ及び、
照合の結果に基づいて、記憶手段に記憶されているデータの消去を各カード単位で行う消去ステップを有することを特徴とするＩＤカード発行プログラム。
【請求項１３】
カード素材に少なくとも画像データを書き込む書込ステップ、
ＩＤカードを光学的及び電子的に読み取る読取ステップ、
光学的に読み取ったデータに基づいた画像を表示手段で表示する表示ステップ及び、
操作部から入力された消去指示指令に基づいて、記憶手段に記憶されているデータの消去を各カード単位で行う消去ステップを有することを特徴とするＩＤカード発行プログラム。
【請求項１４】
再発行ステップを有し、該再発行ステップは、前記消去ステップと択一的に実行されることを特徴とする請求項１１〜１３のいずれか１項に記載のＩＤカード発行プログラム。
【発明の詳細な説明】
【０００１】
【発明の属する技術分野】
本発明は、学生証、従業員証、各種の資格を証明する資格証明証等のようにカードの所有者を証明するＩＤカード（Ｉｄｅｎｔｉｆｉｃａｔｉｏｎ  Ｃａｒｄ）の発行技術に関する。
【０００２】
【従来の技術】
学生証や会社の従業員証等のＩＤカードを作成する方法として、例えば、ネットワーク上のデータベースよりカード作成に必要な個人データ等のデータを取得し、取得したデータをプリンタを有するＩＤカード発行装置内のメモリに記録してプリントを行う方法がある（例えば、特許文献１参照）。
【０００３】
また、最近ではカード内にＩＣチップを内蔵したいわゆるＩＣカードを用いたＩＤカード作成も実施され、例えば、ホストコンピュータで命令データや印刷データ等のカード作成に必要なデータを作製し、これらのデータをホストコンピュータからカード発行装置に伝送してＩＣカードを発行する技術が開示されている（例えば、特許文献２参照）。
【０００４】
この様に、ＩＤカードを作成する時は、データベースやホストコンピュータより取り出したカード作成用のデータを一旦カード作成装置内のメモリ等の記憶手段に記憶させておき、記憶したデータを用いてプリントを行う方法が専らとられている。
【０００５】
特許文献３では、カード作成に使用されたデータを用いたＩＤカードの二重発行を防止するために、カード発行が正常に行われたことを確認した後に、カード作成に使用されたデータを消去する機能を有するＩＤカード発行装置が提案されている。
【０００６】
【特許文献１】
特開平７−１７１０３号公報
【０００７】
【特許文献２】
特開平１１−５３４８１号公報
【０００８】
【特許文献３】
特開２００２−９９９５２号公報
【０００９】
【発明が解決しようとする課題】
ところで、ＩＤカードに記録されているデータには、個人データが含まれており、ＩＤカード作成に使用されたデータは、プライバシー保護等の観点から、第三者による利用を防止する必要があるが、ＩＤカード作成システムにおいては、カード作成後も個人データがメモリに蓄積されており、不正使用される可能性があった。
【００１０】
蓄積データの量がメモリの容量を超えたときにオーバーライトするとか、データ書き込み後一定期間経過時にデータを消去する等のデータ管理が行われているが、個人データ保護の観点では全く不十分であった。
【００１１】
特許文献３のカード発行装置は、発行済みのカードに関わるデータをメモリから消去する二重発行防止機能を備えているが、この特許文献３の二重発行防止機能は、データの機密保持に利用することが可能である。すなわち、発行済みのカードに関わるデータは、カードが正常に発行されたことを確認したときに消去されるので、カード発行後まで発行したカードに関わるデータが発行装置に残っていることがなくなって、データの漏洩が防止される。
【００１２】
しかるに、特許文献３の技術をデータの機密保持に利用した場合に、次のような問題がある。
【００１３】
特許文献３では、カードに組み込まれるＩＣチップに、データを含む命令が正常に書き込まれたことを確認した後に、正常に書き込まれたときに、ホストコンピュータのメモリ内のデータを消去している。
【００１４】
ところで、ＩＤカードには一般に、顔写真、氏名、住所、性別、年齢等々のように、データが画像として記録されている。すなわち、ＩＤカードには、磁気データや電子データが記録されているが、記録されているデータの主要部が、可視データである画像として記録されている。そして、画像データは、磁気データや電子データに比較して、格段に大量のデータを含んでおり、データ量の膨大さから記録データの良否を判定するには、複雑なパターンの精密なパターン認識や曖昧さに対する判断が要求され、単純な検査では処理出来ないものである。
【００１５】
従って、特許文献３の方法により発行済みの判定を行い、発行済みのＩＤカードに関わるデータを消去した場合に、不良品であり再発行の必要なＩＤカードに関わるデータが失われてしまうという問題がある。
【００１６】
本発明は、ＩＤカードに記録されたデータの機密保持に関する前記のような問題を解決することを目的とする。
【００１７】
【課題を解決するための手段】
前記目的は、下記の発明により達成される。
【００１８】
１．ＩＤカード作成用のデータを記憶した記憶手段、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段及び前記ＩＣのメモリを読み出す電子読取手段を有する読取部、
前記光学読取手段が読み取って取得したデータと前記電子読取手段が読み取って取得したデータとを照合する照合手段及び、
該照合手段の照合結果に基づいて、記憶手段に記憶されているデータを各カード単位で消去する制御手段を、有することを特徴とするＩＤカード発行装置。
【００１９】
２．ＩＤカード作成用のデータを記憶した記憶手段、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段を有する読取部、
前記光学読取手段が読み取って取得したデータと前記記憶手段に記憶されているデータとを照合する照合手段及び、
該照合手段の照合結果に基づいて、記憶手段に記憶されているデータを各カード単位で消去する制御手段を、有することを特徴とするＩＤカード発行装置。
【００２０】
３．前記制御手段は、データの消去モードと、データの消去に代えてＩＤカードの再発行を行う再発行モードとを実行可能であることを特徴とする前記１に記載のＩＤカード発行装置。
【００２１】
４．ＩＤカード作成用のデータを記憶した記憶手段、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段を有する読取部、
前記光学読取手段が読み取った画像を表示する表示部、
前記記憶手段に記憶されているデータの消去を指示する指示手段及び、
該指示手段からの指示に基づいて、各カード単位で前記記憶手段内のデータを消去する制御手段を、有することを特徴とするＩＤカード発行装置。
【００２２】
５．前記指示手段は、ＩＤカードの仕上がりを評価する評価データを入力する評価入力手段を有することを特徴とする前記４に記載のＩＤカード発行装置。
【００２３】
６．撮影手段、ＩＤカード作成用のデータ及び前記撮影手段が取得した画像データを記憶した記憶手段を有する撮影装置、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段及び前記ＩＣのメモリを読み出す電子読取手段を有する読取部及び、
前記光学読取手段が読み取って取得したデータと前記電子読取手段が読み取って取得したデータとを照合する照合手段、
を有するカード発行装置並びに、
該照合手段の照合結果に基づいて、記憶手段に記憶されているデータを各カード単位で消去する制御手段を、有することを特徴とするＩＤカード発行システム。
【００２４】
７．撮影手段、ＩＤカード作成用のデータ及び前記撮影手段が取得した画像データを記憶した記憶手段を有する撮影装置、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段を有する読取部及び、
前記光学読取手段が読み取って取得したデータと前記記憶手段に記憶されているデータとを照合する照合手段、
を有するカード発行装置並びに、
該照合手段の照合結果に基づいて、記憶手段に記憶されているデータを各カード単位で消去する制御手段を、有することを特徴とするＩＤカード発行システム。
【００２５】
８．前記制御手段は、データの消去モードと、ＩＤカードの再発行を行う再発行モードとを実行可能であることを特徴とする前記６又は７に記載のＩＤカード発行システム。
【００２６】
９．撮影手段、ＩＤカード作成用のデータ及び前記撮影手段が取得した画像データを記憶した記憶手段を有する撮影装置、
該記憶手段に記憶されたデータを用いてカード券面に画像を書き込む画像書込手段、前記記憶手段に記憶されたデータを電子データとしてＩＤカードに内蔵されたＩＣのメモリに書き込む電子書込手段を有する書込部、
ＩＤカードの画像を読み取る光学読取手段を有する読取部、
前記光学読取手段が読み取った画像を表示する表示部及び、
前記記憶手段に記憶されているデータの消去を指示する指示手段、
を有するカード発行装置並びに、
該指示手段からの指示に基づいて、各カード単位で前記記憶手段内のデータを消去する制御手段を、
有することを特徴とするＩＤカード発行システム。
【００２７】
１０．前記指示手段は、ＩＤカードの仕上がりを評価する評価データを入力する評価入力手段を有することを特徴とする前記９に記載のＩＤカード発行システム。
【００２８】
１１．カード素材に少なくとも画像データを書き込む書込ステップ、
ＩＤカードを光学的及び電子的に読み取る読取ステップ、
光学的に読み取ったデータと電子的に読み取ったデータとを照合するステップ及び、
照合の結果に基づいて、記憶手段に記憶されているデータの消去を各カード単位で行う消去ステップを有することを特徴とするＩＤカード発行プログラム。
【００２９】
１２．カード素材に少なくとも画像データを書き込む書込ステップ、
カード素材を光学的及び電子的に読み取る読取ステップ、
光学的に読み取ったデータと記憶手段に記憶されているデータとを照合するステップ及び、
照合の結果に基づいて、記憶手段に記憶されているデータの消去を各カード単位で行う消去ステップを有することを特徴とするＩＤカード発行プログラム。
【００３０】
１３．カード素材に少なくとも画像データを書き込む書込ステップ、
ＩＤカードを光学的及び電子的に読み取る読取ステップ、
光学的に読み取ったデータに基づいた画像を表示手段で表示する表示ステップ及び、
操作部から入力された消去指示指令に基づいて、記憶手段に記憶されているデータの消去を各カード単位で行う消去ステップを有することを特徴とするＩＤカード発行プログラム。
【００３１】
１４．再発行ステップを有し、該再発行ステップは、前記消去ステップと択一的に実行されることを特徴とする前記１１〜１３のいずれか１項に記載のＩＤカード発行プログラム。
【００３２】
【発明の実施の形態】
図１は本発明の実施の形態に係るＩＤカード発行装置の全体構成を示す図である。図において、カード発行装置は、カード発行部１、カード読取部２、記憶手段３、操作表示部４、ＣＰＵ５及び通信インターフェース６を有する。カード発行部１は、カード素材を供給するカード供給部１０、カード素材の券面に画像としてデータを記録する画像書込手段１１、カード素材に内蔵されたＩＣチップのメモリに電子データとしてデータを書き込む電子書込手段１２及びカード素材の磁気記録層に磁気データとしてデータを書き込む磁気書込手段１３を有する。画像書き込み手段１１は、インクジェットプリンタ、銀塩プリンタ、昇華インク型プリンタ等で構成され、電子書込手段１２は、リーダライタで構成され、磁気書込手段１３は磁気ヘッドで構成される。
【００３３】
カード読取部２は、光学的な読取によりＩＤカードの券面に記録されたデータを読み取る光学読取手段２０、磁気記録層に記録されたデータを読み取るリーダライタからなる電子読取手段２１及びＩＣチップに記録されたデータを読み取る磁気読取手段２２を有する。
【００３４】
光学読取手段２０はスキャナで構成され、電子読取手段２１はリーダライタで構成され、磁気読取手段２２は磁気ヘッドで構成される。記憶手段３は、通信インターフェース６を介して、撮影装置、ホストコンピュータ等（図示せず）の外部機器から取得したデータを記憶する。４は表示手段を構成する操作表示部であり、カード素材に記録すべきデータ及びカード読取部２がカードから読み取ったデータを表示するとともに、キーボード、マウス、接触センサ等の操作手段でデータの入力を行うことができる。カード読取部２と操作表示部４とは光学検査手段を構成する。
【００３５】
ＣＰＵ５は全体を制御するものであり、その制御により、カード供給部からカードが供給され、画像書込手段１１により画像が形成され、電子書込手段１２により電子データが書き込まれ、磁気書込手段１３により磁気データが書き込まれてＩＤカードが作成される。なお、ＣＰＵ５は後に説明するデータの消去を行う制御手段及びデータの照合を行う照合手段を構成する。
【００３６】
図２に示すＩＤカードはこのようにして作成された従業員証の例であり、顔写真３０、氏名３１、社員コード３２、会社名３３、生年月日３４、有効期限３５等のデータを画像として記録したものである。
【００３７】
ＩＤカードの裏面及びカード中には、図２（ｂ）に示すように、磁気記録層３６と、ＣＰＵ及びメモリ（ＥＥＰＲＯＭ）を有するＩＣチップ３７とが設けられ、各種のデータが記録されている。
【００３８】
記憶手段３には表１に示すようなデータが記憶されており、ＣＰＵ５は記憶手段３の表１に示すファイルから、指定された記録Ｎｏデータを読み出して、カード素材に所定のデータを記録する。なお、表１のファイルでは、写真Ｎｏ、漢字氏名等の各項目について、画像記録、電子記録又は磁気記録の別が特定されている。
【００３９】
【表１】
2004334637.tif 000003
【００４０】
作成されたＩＤカードの画像、電子データ及び磁気データはカード読取部２において読み取られ、読取により取得されたデータは操作表示部４に表示される。
【００４１】
オペレータは、操作表示部４に表示されたデータからＩＤカードにデータが正常に記録されているか否かを判断することができる。
【００４２】
図３は操作表示部４に表示された画像を示す。図示のように、表示されるデータは、画像データとして記録されたもの、電子データとして記録されたもの及び磁気データとして記録されたものが１つの画面に纏めて表示され、しかも、ＩＤカードに実際に記録されている画像を拡大した画像が表示されるので、記録されているデータの正否を正確に判断することができる。
【００４３】
図３において、４０は写真画像の表示部であり、４１〜４ｎは、文字又は数字のデータの表示部である。図中各表示部には、「ａ」、「ｂ」、「ｃ」のマークが表示される。マークａは画像データとしてＩＤカードに記録されており、マークｂは電子データとして記録されており、ｃマークは磁気データとして記録されていることを示す。そして、斜線のない欄は正常に記録されていることを示し、斜線の部分は正常に記録されていないことを示す。実施には、反転表示や色を変えた表示で正常、異常の仕分けが行われる。５０は消去を許可する指示手段の一つである評価入力手段としての指示ボタンであり、５１は消去を許可しない評価入力手段としての指示ボタンである。
【００４４】
電子データとして記録されているデータ及び磁気データとして記録されているデータが正しいか否かは、記憶手段３に記憶されているデータと、作成されたＩＤカードのＩＣのメモリから電子読取手段２１が読み出したデータ及び磁気読取手段２２が読み取ったデータとを照合することにより、ＣＰＵ５が判断し、その判断結果は、前記のように正常記録として表示するか、斜線により正常に記録されていないとして表示される。画像データとして記録されているデータの正否は、ＣＰＵ５の判断により及びオペレータの判断により行われ、オペレータが正常に記録されていると判断したときは、指示手段としての消去可ボタン５０を押し、正常に記録されていないと判断したときは、消去不可ボタン５１を押す。
【００４５】
ＣＰＵ５は、表示部４０〜４ｎに表示された電子データ及び磁気データが正常であり、且つ、消去可のボタン５０が押されたときは、記憶手段３のファイルから、該当するカードのデータを消去する。そして、正常でないとき又は消去不可のボタン５１が押されたときは、ＩＤカードの再発行を行う。
【００４６】
ＣＰＵ５は、画像読取により取得したデータの正常・異常の判断を次のようにして行う。
【００４７】
ＩＤカードの券面には、文字画像としてデータが記録されており、文字や数字は画像読取手段２０に設けられたＯＣＲ（Ｏｐｔｉｃａｌ  ＣｈａｒａｃｔｅｒＲｅａｄｅｒ）で読み取ることができる。ＣＰＵ５はＯＣＲが読み取ったデータと電子読取手段２２が読み取ったデータとを照合して、ＩＤカードに記録されたデータの正否を判断する。
【００４８】
ＣＰＵ５が画像データの正常・異常を判断する判断方法としては、前記のように、券面の画像読取により取得したデータとＩＣメモリの電子読取により取得したデータとの照合の代わりに、券面の画像読取により取得したデータと記憶手段３から読み出したデータとを照合して、画像データの正常・異常を判断する方法を採ることもできる。
【００４９】
図４は前記に説明した制御を行うプログラムのフローチャートである。
ステップＳ１にいおいて、データの書込が行われる。すなわち、図１の記憶手段３から指定カードに関するデータが読み出され、画像書込手段１１、電子書込手段１２及び磁気書込手段１３によりカード素材に所定のデータが書き込まれる。
【００５０】
ステップＳ２において、記録したデータの読取が、画像読取手段２０、電子読取手段２１及び磁気読取手段２２により行われる。
【００５１】
ステップＳ３では、照合手段としてのＣＰＵ５が、画像データ、電子データ及び磁気データについて、読み出したデータの照合を行う。
【００５２】
データの照合は前記のように、カード券面の光学読取により取得したデータとカード内蔵のＩＣの電子読取により取得したデータとの照合又は光学読取により取得したデータと記憶手段３から読み出したデータとの照合を含み、さらに、ＩＣの電子読取により取得したデータと記憶手段３から読み出したデータとの照合及び磁気記録層の磁気読取により取得したデータと記憶手段３から読み出したデータとの照合を含む。
【００５３】
照合の結果、正常な場合は、図３における斜線部のない表示を行うとともに、ステップＳ５に移行する。正常でない場合には、図３における斜線部のある画像像を表示するとともに、ステップＳ７に移行する。
【００５４】
続くステップＳ５においては、図３における、消去可ボタン５０が押されたか又は消去不可ボタン５１が押されたかがチェックされる。ステップＳ４において、正常と判断され（Ｓ４のＹｅｓ）、且つ、ステップ５において消去可のボタン５０が押されているときには（Ｓ５のＹｅｓ）、ステップＳ６において、検査されたＩＤカードのデータ、すなわち、例えば、表１における記録Ｎ０３に関連したデータの全てを記憶手段３から消去することが行われ、それ以外の場合は、ステップＳ７において、カードの再発行が行われる。
【００５５】
カードの再発行は、画像データの記録が正常に行われなかったときには、カード発行部１において、新たなカード素材に画像の再印刷が行われ、電子データ又は磁気データが正常に行われなかったときには、記録されているデータの上書きが行われる。
【００５６】
図５は本発明の実施の形態に係るＩＤカード発行システムの一例のブロック図である。
【００５７】
カード発行装置Ａは、カード発行部１、カード読取部２、記憶手段３、操作表示部４及びＣＰＵ５を有し、これら各種構成部は図１に示し前記に説明した構成及び機能を有する。すなわち、カード発行部１はカード供給部１０、画像データ書込手段１１、電子データ書込手段１２及び磁気データ書込手段１３を有し、カード読取部２は画像読取手段２０、電子データ読取手段２１及び磁気データ読取手段２２を有する。
【００５８】
撮影装置Ｂは、写真撮影して画像データを生成し、撮影により生成した画像データ及びホストコンピュータ等のお外部機器から取得したデータを記憶する。このように、記憶手段３Ｂは、撮影により取得した画像データ及び表１に示したような画像データ以外の各種データを記憶するが、表１に示した各種データをカード作成装置Ａの記憶手段３と撮影装置３Ｂに分担記憶してもよいし、撮影装置Ｂの記憶装置３Ｂのそれぞれに全てのデータを記憶してもよい。
【００５９】
カード発行装置Ａに設けられたＣＰＵ５は、前記に説明した画像データの消去指令信号を撮影装置Ｂに電送し、記憶手段３のみでなく、記憶手段３Ｂに記憶されている、指定されたＩＤカードに関連したデータを消去する。
【００６０】
図６は本発明の実施の形態に係るＩＤカード発行システムの他の例のブロック図である。
【００６１】
カード発行装置Ａは、カード発光部１及び記憶手段３を有し、これら各種構成部は図１に示し前記に説明した構成及び機能を有する。すなわち、カード発行部１はカード供給部１０、画像データ書込手段１１、電子データ書込手段１２及び磁気データ書込手段１３を有する。
【００６２】
撮影装置Ｂは、写真撮影して画像データを生成し、撮影により生成した画像データ及びホストコンピュータ等のお外部機器から取得したデータを記憶する。このように、記憶手段３Ｂは、撮影により取得した画像データ及び表１に示したような画像データ以外の各種データを記憶するが、表１に示した各種データをカード作成装置Ａの記憶手段３と撮影装置３Ｂに分担記憶してもよいし、撮影装置Ｂの記憶装置３Ｂにそれぞれ全て記憶してもよい。
【００６３】
本例では、システム構成部として、検査部Ｃを設けている、検査部Ｃは、カード読取部２、操作表示部４及びＣＰＵ５を有する。これら構成部は図１に示した構成と前記に説明した機能とを有する。カード発行装置Ａの記憶手段及び撮影装置Ｂの記憶手段３Ｂは、図５に関連して前記に説明した通りの機能を有し、記憶手段３及び３Ｂのそれぞれに各ＩＤカードに関連したデータの全てを記憶してもよく、記録手段３と３Ｂとに分担記憶してもよい。
【００６４】
ＣＰＵ５は、記憶手段３及び３Ｂに消去命令を伝送し、検査により正常にデータ記録されたことが確認されたＩＤカードに関わるデータを消去する。
【００６５】
図７は、本発明の実施の形態の他の例において、検査に用いられる画像データを説明する図である。
【００６６】
図７において、画像Ｇ１は記憶手段３（又は３Ｂ）に記憶されている画像データに基づいて作成された画像を示す。記憶手段３に記憶されているデータは正しいものであるので、表示される画像には欠陥がない。画像Ｇ２は作成されたＩＤカードを画像読取手段２０が読み取って取得した画像データに基づいて作成された画像である。
【００６７】
画像Ｇ２には、カード作成時に発生した画像欠陥ＤＦ１、ＤＦ２が存在する。このような画像欠陥は、塵埃等に異物付着や、印字不良、インク切れ等により発生する。
【００６８】
画像Ｇ１とＧ２とをパターンマッチングの手法で照合することにより、画像データが正常に記録されていないことを検知することができるので、この手法を用いることにより、図４におけるステップＳ３の判断を自動化することが可能になり、データを消去するための作業の全工程を自動化することが可能になる。
【００６９】
図８は前記したように、画像データ、電子データ及び磁気データの全てを自動的に検査し、良否の判断を行う例のフローチャートである。
【００７０】
前記に説明したステップＳ１、Ｓ２の後に、ステップＳ３Ａにおいて、画像データ、電子データ及び磁気データの全てについて、記憶手段３又は３Ｂから読み出したものと、作成されたカードから読み取ったものとの照合を行い、ステップＳ４Ａにおいて、データが正常に記録されているときは、ステップＳ６において消去を行い、正常に記録されていないときは、ステップＳ７において再発行を行う。
【００７１】
【発明の効果】
請求項１〜１４のいずれか１項に記載の発明により、作成されたＩＤカードに関するデータを、表示手段に表示された画像による検査に基づいて、作成されたＩＤカードに関するデータの消去の可否を決定できるので、簡単な工程で正確にデータ消去が行われ、ＩＤカード作成に用いられたデータの漏洩防止を確実に行うことが出来るとともに、必要なデータが失われることが適切に防止される。
【００７２】
請求項２、８又は１４の発明により、作成されたＩＤカードに欠陥がある場合には、支障なく再発行が行われる。
【００７３】
請求項１〜３、６〜８、１１又は１２の発明により、正常に発行されたＩＤカードに関わるデータは自動的に消去されるので、情報の漏洩が確実に防止される。
【００７４】
請求項４、５、９，１０、１３又は１４の発明により、画像のように良否の判断を機械的に正確に行うことができない場合でも、誤り無くデータ消去の可否を判断することが可能であり、簡単な操作で、確実に情報の漏洩を防止することができる。
【図面の簡単な説明】
【図１】図１は本発明の実施の形態に係るＩＤカード発行装置の全体構成を示す図である。
【図２】ＩＤカードの一例を示す図である。
【図３】操作表示部に表示される画像を示す図である。
【図４】本発明の実施の形態における制御の一例のフローチャートである。
【図５】本発明の実施の形態に係るＩＤカード発行システムの一例を示す図である。
【図６】本発明の実施の形態に係るＩＤカード発行システムの他の例のブロック図である。
【図７】照合に用いられる画像を示す図である。
【図８】本発明の実施の形態における制御の一例のフローチャートである。
【符号の説明】
１  カード発行部
２  カード読取部
３、３Ｂ  記憶手段
４  操作表示部
５  ＣＰＵ
【図１】
2004334637.tif 000004
【図２】
2004334637.tif 000005
【図３】
2004334637.tif 000006
【図４】
2004334637.tif 000007
【図５】
2004334637.tif 000008
【図６】
2004334637.tif 000009
【図７】
2004334637.tif 000010
【図８】
2004334637.tif 000011